(57)【要約】    【課題】  大口径でありながら、防振の際の収差変動が少なく、防振時においても良好な画像を得ることができる防振機能を有したズームレンズを得ること。    【解決手段】  物体側から像側へ順に、正，負の屈折力の第１，第２レンズ群、中間群、最終レンズ群より構成され、望遠端における全系の焦点距離ｆｔ、望遠端における防振群VCの横倍率βｖｃｔ、望遠端における防振群VCより像側に位置する全てのレンズ群の横倍率βｒｔ、防振群VCの焦点距離ｆｖｃ、防振群VCの最も物体側のレンズ面の曲率半径Ｒｆ、防振群VCの最も像側のレンズ面の曲率半径Ｒｒ、第１レンズ群の焦点距離ｆ１、中間群の最も物体側に位置する第３レンズ群の焦点距離ｆ３を各々適切に設定すること。【選択図】    図１
2015049428.tif 000002
【特許請求の範囲】
【請求項１】
物体側から像側へ順に、正の屈折力の第１レンズ群、負の屈折力の第２レンズ群、１以上のレンズ群を有する中間群、正の屈折力の最終レンズ群より構成され、ズーミングに際して隣り合うレンズ群の間隔が変化するズームレンズであって、
前記中間群は、像振れ補正に際して光軸に対して垂直方向の成分を持つ方向に移動する負の屈折力の防振群を有し、前記防振群は負レンズと正レンズ又は１枚の負レンズより構成され、
望遠端における全系の焦点距離をｆｔ、望遠端における前記防振群の横倍率をβｖｃｔ、前記防振群の像側に位置する光学系の望遠端における横倍率をβｒｔ、前記防振群の焦点距離をｆｖｃ、前記防振群の最も物体側のレンズ面の曲率半径をＲｆ、前記防振群の最も像側のレンズ面の曲率半径をＲｒ、前記第１レンズ群の焦点距離をｆ１、前記中間群の最も物体側に位置する第３レンズ群の焦点距離をｆ３とするとき、
０．８＜ｆｔ／(｜(１−βｖｃｔ)×βｒｔ×ｆｖｃ｜）＜２．９
０．３＜（Ｒｆ−Ｒｒ）／（Ｒｆ＋Ｒｒ）＜１．０
３．０＜ｆ１／ｆ３＜５．５
なる条件式を満足することを特徴とするズームレンズ。
【請求項２】
前記第２レンズ群の焦点距離をｆ２とするとき、
４．０＜ｆ１／｜ｆ２｜＜９．５
なる条件式を満足することを特徴とする請求項１に記載のズームレンズ。
【請求項３】
０．４＜ｆ１／｜ｆｖｃ｜＜２．０
なる条件式を満足することを特徴とする請求項１又は２に記載のズームレンズ 。
【請求項４】
前記第３レンズ群は、２以上の正レンズと１以上の負レンズを有することを特徴とする請求項１乃至３のいずれか１項に記載のズームレンズ。
【請求項５】
前記最終レンズ群の焦点距離をｆｐとするとき、
０．４５＜ｆｐ／ｆｔ＜１．２０
なる条件式を満足することを特徴とする請求項１乃至４のいずれか１項に記載のズームレンズ。
【請求項６】
物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、ズーミングに際して各レンズ群が互いに異なる軌跡で移動し、前記防振群は前記第４レンズ群の全体または一部であることを特徴とする請求項１乃至５のいずれか１項に記載のズームレンズ。
【請求項７】
物体側より像側へ順に、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群より構成され、ズーミングに際して各レンズ群が互いに異なる軌跡で移動し、前記防振群は前記第４レンズ群であることを特徴とする請求項１乃至５のいずれか１項に記載のズームレンズ。
【請求項８】
請求項１乃至７のいずれか１項に記載のズームレンズと、該ズームレンズによって形成される像を受光する固体撮像素子とを有することを特徴とする撮像装置。
【発明の詳細な説明】
【技術分野】
【０００１】
本発明は、ズームレンズ及びそれを有する撮像装置に関し、ビデオカメラやデジタルスチルカメラ等の電子カメラ、フィルム用カメラ、放送用カメラ等に好適に用いられるものである。
【背景技術】
【０００２】
近年、デジタルスチルカメラやビデオカメラ等の撮像装置に用いられている撮像素子は、大型化及び高画素化（高密度化）されている。このような撮像素子を備える撮像装置で用いるズームレンズには、諸収差が良好に補正され高い光学性能を有していることが要求されている。
【０００３】
特に暗い場所での撮影ができ、深度の浅い（ボケが強調された）画像が得られる大口径比でかつ全系が小型であることが要求されている。また、より高精細な画像を得るために、撮影時の手ブレ等の振動の影響による画像の劣化を抑制する機能、防振機能を有すること等が求められている。
【０００４】
防振機構としてズームレンズを構成するレンズ群の全部又は一部を光軸と略垂直な方向に移動させて振動による画像ブレを補償するズームレンズが知られている。このうち、物体側から像側へ順に、正、負、正、負、正の屈折力のレンズ群より成る５群ズームレンズにおいて、防振に際して第４レンズ群の全部又は一部のレンズ群を光軸に対して垂直方向に移動させるズームレンズが知られている（特許文献１，２）。
【先行技術文献】
【特許文献】
【０００５】
【特許文献１】特開２００６−４７３４８号公報
【特許文献２】特開２００７−２６４１７４号公報
【発明の概要】
【発明が解決しようとする課題】
【０００６】
ズームレンズにおいて防振群を偏心させると、偏心コマ収差や偏心像面湾曲等の偏心収差が発生し、画像がボケてくる。特に、大口径比のズームレンズでは、偏心コマ収差や偏心像面湾曲が大きくなりやすく、防振時に画質が低下しやすい。したがって、防振機能を有する大口径比のズームレンズにおいては、防振群のレンズ構成等を適切に設定することにより、防振群を偏心させたときの偏心収差の発生量を少なくすることが重要である。
【０００７】
本発明は、大口径でありながら、防振機構を具備し、防振時に良好な画像が得られるズームレンズ及びそれを有する撮像装置を提供することを目的とする。
【課題を解決するための手段】
【０００８】
本発明のズームレンズは、物体側から像側へ順に、正の屈折力の第１レンズ群、負の屈折力の第２レンズ群、１以上のレンズ群を有する中間群、正の屈折力の最終レンズ群より構成され、ズーミングに際して隣り合うレンズ群の間隔が変化するズームレンズであって、前記中間群は、像振れ補正に際して光軸に対して垂直方向の成分を持つ方向に移動する負の屈折力の防振群を有し、前記防振群は負レンズと正レンズ又は１枚の負レンズより構成され、望遠端における全系の焦点距離をｆｔ、望遠端における前記防振群の横倍率をβｖｃｔ、前記防振群の像側に位置する光学系の望遠端における横倍率をβｒｔ、前記防振群の焦点距離をｆｖｃ、前記防振群の最も物体側のレンズ面の曲率半径をＲｆ、前記防振群の最も像側のレンズ面の曲率半径をＲｒ、前記第１レンズ群の焦点距離をｆ１、前記中間群の最も物体側に位置する第３レンズ群の焦点距離をｆ３とするとき、
０．８＜ｆｔ／(｜(１−βｖｃｔ)×βｒｔ×ｆｖｃ｜）＜２．９
０．３＜（Ｒｆ−Ｒｒ）/（Ｒｆ＋Ｒｒ）＜１．０
３．０＜ｆ１/ｆ３＜５．５
なる条件式を満足することを特徴としている。
【発明の効果】
【０００９】
本発明によれば、大口径でありながら、防振の際の収差変動が少なく、防振時においても良好な画像を得ることができる防振機能を有したズームレンズが得られる。
【図面の簡単な説明】
【００１０】
【図１】本発明の実施例１のレンズ断面図
【図２】（Ａ），（Ｂ）  本発明の実施例１の広角端と望遠端における収差図
【図３】本発明の実施例２のレンズ断面図
【図４】（Ａ），（Ｂ）  本発明の実施例２の広角端と望遠端における収差図
【図５】本発明の実施例３のレンズ断面図
【図６】（Ａ），（Ｂ）  本発明の実施例３の広角端と望遠端における収差図
【図７】本発明の実施例４のレンズ断面図
【図８】（Ａ），（Ｂ）  本発明の実施例４の広角端と望遠端における収差図
【図９】本発明の実施例５のレンズ断面図
【図１０】（Ａ），（Ｂ）  本発明の実施例５の広角端と望遠端における収差図
【図１１】本発明の実施例６のレンズ断面図
【図１２】（Ａ），（Ｂ）  本発明の実施例６の広角端と望遠端における収差図
【図１３】防振群の物体側のレンズ面の曲率半径とコマ収差係数の関係図
【図１４】本発明の撮像装置の要部概略図
【発明を実施するための形態】
【００１１】
以下、本発明のズームレンズ及びそれを有する撮像装置の実施例について説明する。本発明のズームレンズは、物体側から像側へ順に、正の屈折力の第１レンズ群、負の屈折力の第２レンズ群、１以上のレンズ群を有する中間群、正の屈折力の最終レンズ群より構成されている。ズーミングに際して隣り合うレンズ群の間隔が変化する。中間群は像ぶれ補正に際して光軸に対して垂直方向の成分を持つ方向に移動する負の屈折力の防振群VCを有する。ここで屈折力とは光学的パワーのことであり、焦点距離の逆数である。
【００１２】
図１は本発明の実施例１のズームレンズの広角端（短焦点距離端）において無限遠物体に合焦したときのレンズ断面図である。図２（Ａ）、（Ｂ）は実施例１のズームレンズの広角端と望遠端（長焦点距離端）において無限遠物体に合焦させたときの縦収差図である。図３は本発明の実施例２のズームレンズの広角端において無限遠物体に合焦したときのレンズ断面図である。図４（Ａ）、（Ｂ）は実施例２のズームレンズの広角端と望遠端において無限遠物体に合焦させたときの縦収差図である。
【００１３】
図５は本発明の実施例３のズームレンズの広角端において無限遠物体に合焦したときのレンズ断面図である。図６（Ａ）、（Ｂ）は実施例３のズームレンズの広角端と望遠端において無限遠物体に合焦させたときの縦収差図である。図７は本発明の実施例４のズームレンズの広角端において無限遠物体に合焦したときのレンズ断面図である。図８（Ａ）、（Ｂ）は実施例４のズームレンズの広角端と望遠端において無限遠物体に合焦させたときの縦収差図である。
【００１４】
図９は本発明の実施例５のズームレンズの広角端において無限遠物体に合焦したときのレンズ断面図である。図１０（Ａ）、（Ｂ）は実施例５のズームレンズの広角端と望遠端において無限遠物体に合焦させたときの縦収差図である。図１１は本発明の実施例６のズームレンズの広角端において無限遠物体に合焦したときのレンズ断面図である。図１２（Ａ）、（Ｂ）は実施例６のズームレンズの広角端と望遠端において無限遠物体に合焦させたときの縦収差図である。
【００１５】
図１３は防振群の物体側のレンズ面の曲率半径とコマ収差係数との関係を示す説明図である。図１４は本発明のズームレンズを備えるカメラ（撮像装置）の要部概略図である。各実施例のズームレンズはビデオカメラやデジタルカメラ、そして銀塩フィルムカメラ等の撮像装置に用いられる撮影レンズ系である。
【００１６】
レンズ断面図において、左方が物体側（前方）で、右方が像側（後方）である。レンズ断面図において、ｉは物体側からレンズ群の順番を示し、Ｌｉは第ｉレンズ群である。ＬＭは１以上のレンズ群を有する中間群である。ＬＲは最も物体側に位置する正の屈折力の最終レンズ群である。中間群ＬＭは像振れ補正に際して光軸に対して垂直方向の成分を持つ方向に移動する負の屈折力の防振群VCを有する。
【００１７】
図１、図３、図５、図９、図１１の実施例１、２、３、５、６では、物体側より像側へ順に、正の屈折力の第１レンズ群Ｌ１、負の屈折力の第２レンズ群Ｌ２、正の屈折力の第３レンズ群Ｌ３負の屈折力の第４レンズ群Ｌ４より構成されている。更に正の屈折力の第５レンズ群Ｌ５より構成され、ズーミングに際して各レンズ群が互いに異なる軌跡で移動する。実施例１，３，５，６では、防振群VCは第４レンズ群Ｌ４である。実施例２では、第４レンズ群Ｌ４は負の屈折力の第４ａレンズ部Ｌ４ａ、正の屈折力の第４ｂレンズ部Ｌ４ｂよりなり、第４ａレンズ部Ｌ４ａが防振群VCである。
【００１８】
図７の実施例４では、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５、正の屈折力の第６レンズ群Ｌ６より構成されている。ズーミングに際して各レンズ群が互いに異なる軌跡で移動し、防振群VCは第４レンズ群Ｌ４である。
【００１９】
各レンズ断面図において、Ｌ３ｆはフォーカシング用のレンズ部であり、第３レンズ群Ｌ３の全部又は一部のレンズ部よりなっている。ＳＰは開口絞りであり、第３レンズ群Ｌ３の像側に配置している。ＩＰは像面であり、ビデオカメラやデジタルスチルカメラの撮影光学系として使用する際にはＣＣＤセンサやＣＭＯＳセンサなどの固体撮像素子（光電変換素子）の撮像面が配置され、銀塩フィルム用カメラのときはフィルム面が配置される。
【００２０】
収差図において、Ｍはメリディオナル像面、Ｓはサジタル像面である。ωは半画角、ＦｎｏはＦナンバーである。尚、以下の各実施例において広角端と望遠端は各レンズ群が機構上光軸上を移動可能な範囲の両端に位置したときのズーム位置をいう。矢印は広角端から望遠端へのズーミングにおける各レンズ群の移動軌跡を示している。
【００２１】
各実施例において、防振群VCは負レンズと正レンズ又は非球面を有する１枚の負レンズより構成されている。
【００２２】
望遠端における全系の焦点距離をｆｔとする。防振群VCの焦点距離をｆｖｃとする。望遠端における防振群VCの横倍率をβｖｃｔとする。望遠端における防振群VCより像側に位置する全てのレンズ群の横倍率をβｒｔとする。防振群VCの最も物体側のレンズ面の曲率半径をＲｆとする。防振群VCの最も像側のレンズ面の曲率半径をＲｒとする。第１レンズ群Ｌ１の焦点距離をｆ１とする。中間群ＬＭの最も物体側に位置する第３レンズ群Ｌ３の焦点距離をｆ３とする。
【００２３】
このとき、
０．８＜ｆｔ／(｜(１−βｖｃｔ)×βｒｔ×ｆｖｃ｜）＜２．９    ・・・（１）
０．３＜（Ｒｆ−Ｒｒ）／（Ｒｆ＋Ｒｒ）＜１．０      ・・・（２）
３．０＜ｆ１／ｆ３＜５．５                          ・・・（３）
なる条件式を満足する。次に前述した条件式（１），（２），（３）の技術的意味について説明する。
【００２４】
防振に関する収差係数の式によると、防振時の彎曲収差の影響については、ズームタイプが決まれば、主に防振群よりも物体側に配置されるレンズ系、および防振群についてのコマ収差係数、彎曲収差係数によって影響を受けることが知られている。防振に関する収差係数に関しては、例えば特開２００９−２８２２０２号公報等によっても記述があるので、詳細な説明は省略する。
【００２５】
防振時の彎曲収差の変動に着目したとき、防振群によって発生するコマ収差の状況にも影響を受けることが知られている。そのため、防振群についてのコマ収差に与える影響、特にレンズ形状も重要な影響を与える。
【００２６】
図１３は、本実施例の防振群に合うように物点位置を設定（本例では、防振群のレンズに対して、像側に10ｍｍ）して横軸に物体側のレンズ面の曲率、縦軸にコマ収差係数をとってプロットしたものである。この場合、屈折力は１に規格化している。
【００２７】
上記のような屈折力一定のベンディング特性図において、コマ収差係数は曲率（１／ｒ）の１次関数で概略あらわされ、必ずどこか１点はコマ収差係数が０となることが知られている。例えば、防振群の物体側のレンズ面の曲率が負、つまり物体側のレンズ面が凹形状となるとコマ収差係数が大きくなる。物体側のレンズ面の凸形状が大きくなりすぎても、レンズ面深さが大きすぎてカメラの沈胴時の厚みが大きくなる。
【００２８】
本発明では、図１３のベンディング特性図を考慮して、防振群のレンズ形状について、条件式（２）の範囲とすることでコマ収差が発生しにくい構造としている。これによって、前述したように防振時の彎曲特性の変動を抑制する効果を得ている。すなわち、第２レンズ群Ｌ２と第３レンズ群Ｌ３から発生するコマ収差係数を、第１レンズ群Ｌ１のコマ収差係数で抑制する方向であり、第１レンズ群Ｌ１と第３レンズ群Ｌ３の収差係数比を適切に設定することで、彎曲特性の変動を抑制する効果を得ている。
【００２９】
各実施例のズームレンズでは、中間群ＬＭに負の屈折力の防振群VCを含む構成することで、テレセントリック性能を維持しながら、コンパクトなズームレンズを実現している。また、中間群ＬＭに含まれる負の屈折力の防振群VCで防振を行うが、その際の彎曲収差などの収差変動を抑制するために、条件式（１）乃至（３）を規定している。
【００３０】
条件式（１）は、防振群VCの焦点距離に対する、防振時に駆動する量の比を規定している。条件式（１）の上限を超えて防振群VCの負の屈折力の絶対値が大きくなると防振時の彎曲収差の変動が大きくなる。逆に下限をこえると防振群VCの防振の際の防振量が大きすぎて収差変動が大きくなる。さらに望ましくは、条件式（１）は以下の条件式（１ａ）とすることで、よりコンパクトかつ防振の際の彎曲変動が少ないズームレンズを実現することができる。
【００３１】
０．９＜ｆｔ／(｜(１−βｖｃｔ)×βｒｔ×ｆｖｃ｜）＜２．８    ・・・（１ａ）
条件式（２）は、防振群VCを構成するレンズの形状を規定する。条件式（２）の下限を超えると、防振群VCを構成する物体側のレンズ面の曲率が大きくなりすぎて、レンズ厚が大きくなり、沈胴収納時にズームレンズを小さく収納することが困難になる。逆に上限を超えると、防振群VCの物体側のレンズ面が凹形状となってしまうためコマ収差が多く発生し、また防振時における彎曲の変動が増大してくる。さらに望ましくは、条件式（２）を以下の条件式（２ａ）とすることで、よりコンパクトかつ防振の際の彎曲変動が少ないズームレンズを実現することができる。
【００３２】
０．３２＜（Ｒｆ−Ｒｒ）／（Ｒｆ＋Ｒｒ）＜０．９５      ・・・（２ａ）
条件式（３）は、第３レンズ群Ｌ３の焦点距離に対する第１レンズ群Ｌ１の焦点距離の比を規定する。条件式（３）は主に第３レンズ群Ｌ３で発生したコマ収差を第１レンズ群Ｌ１で相殺する役割を果たしている。条件式（３）の下限を超えて、第１レンズ群Ｌ１の屈折力が強すぎると前玉有効径などが大きくなる。逆に上限を超えて、第３レンズ群Ｌ３の屈折力が強くなりすぎると防振時の彎曲収差の変動を抑制することが困難になる。
【００３３】
さらに望ましくは、条件式（３）を以下の条件式（３ａ）とすることで、よりコンパクトかつ防振の際の彎曲変動が少ないズームレンズを実現することができる。
【００３４】
３．１＜ｆ１/ｆ３＜５．３                          ・・・（３ａ）
各実施例において、更に好ましくは、次の条件式のうち１以上を満足するのが良い。第２レンズ群Ｌ２の焦点距離をｆ２とする。最終レンズ群ＬＲの焦点距離をｆｐとする。このとき、次の条件式のうち１以上を満足するのが良い。
【００３５】
４．０＜ｆ１／｜ｆ２｜＜９．５    ・・・（４）
０．４＜ｆ１／｜ｆｖｃ｜＜２．０  ・・・（５）
０．４５＜ｆｐ／ｆｔ＜１．２０    ・・・（６）
次に前述の各条件式の技術的意味について説明する。
【００３６】
条件式（４）は、第２レンズ群Ｌ２の焦点距離に対する第１レンズ群Ｌ１の焦点距離の比を規定する。条件式（４）の下限を超えて、第１レンズ群Ｌ１の屈折力が強すぎると、前玉有効径が大きくなる。逆に上限を超えると、第２レンズ群Ｌ２の屈折力が強くなりすぎて、防振時の彎曲収差の変動を抑制することが困難になる。さらに望ましくは、条件式（４）を以下の条件式（４ａ）とすることで、よりコンパクトかつ防振の際の彎曲変動が少ないズームレンズを実現することができる。
【００３７】
４．５＜ｆ１／｜ｆ２｜＜９．３    ・・・（４ａ）
条件式（５）は、防振群VCの焦点距離に対する第１レンズ群Ｌ１の焦点距離の比を規定している。条件式（５）の下限を超えて、第１レンズ群Ｌ１の屈折力が強すぎると前玉有効径が大きくなる。
【００３８】
逆に上限を超えると、防振群VCの負の屈折力の絶対値が大きくなると、防振時の彎曲収差の変動を抑制することが困難になる。さらに望ましくは、条件式（５）を以下の条件式（５ａ）とすることで、よりコンパクトかつ防振の際の彎曲変動が少ないズームレンズを実現することができる。
【００３９】
０．５＜ｆ１／ｆｖｃ＜１．９      ・・・（５ａ）
条件式（６）は、望遠端における全系の焦点距離に対する最終レンズ群ＬＲの焦点距離の比を規定する。条件式（６）の下限を超えると、最終レンズ群ＬＲの屈折力が強くなりすぎて、レンズ系が増大してくる。
【００４０】
逆に上限を超えると、最終レンズ群ＬＲの屈折力が弱くなりすぎて、像側のテレセントリック性を維持することが困難になる。さらに望ましくは、条件式（６）を以下の条件式（６ａ）とすることで、よりテレセントリック性を維持したズームレンズを実現することができる。
【００４１】
０．５０＜ｆ１／ｆｖｃ＜１．１０  ・・・（６ａ）
各実施例において、第３レンズ群Ｌ３は、２以上の正レンズと１以上の負レンズを有するのが良い。これによれば、第３レンズ群Ｌ３より発生するコマ収差を抑制するのが容易になる。また、防振用の防振群VCより物体側のレンズ群によって発生する彎曲収差を低減することが容易になる。次に各実施例の特徴について説明する。
【００４２】
［実施例１］
図１を参照して、本発明の実施例１のズームレンズについて説明する。実施例１のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成されている。実施例１では、第４レンズ群Ｌ４が防振群VCであり、像ぶれ補正に際して第４レンズ群Ｌ４を光軸に対して垂直方向の成分を持つように移動している。これにより、ズームレンズが振動したときの像振れを補正している。即ち防振を行っている。
【００４３】
広角端から望遠端へのズーミングに際し、第１レンズ群Ｌ１は物体側へ移動する。尚、第１レンズ群Ｌ１はズーム中間域の周辺照度比などを十分確保する目的などから、像側に凸形状を示す軌跡を描きながら移動しても良い。第２レンズ群Ｌ２は像側へ移動する。第３レンズ群Ｌ３を物体側へ移動することで主たる変倍を行っている。第４レンズ群Ｌ４と第５レンズ群Ｌ５は物体側に凸形状を示す軌跡で移動する。
【００４４】
防振用の第４レンズ群Ｌ４は、物体側から像側へ順に、負レンズと正レンズを接合した接合レンズより構成している。そして接合レンズの形状が物体側の面が凸でメニスカス形状となるように設定して、防振の際の収差変動を軽減している。これによって、広角端でのＦナンバーが２程度の大口径比となっても防振時の彎曲収差などの変動が少なくなるようにしている。
【００４５】
［実施例２］
図３を参照して本発明の実施例２のズームレンズについて説明する。実施例２のズームレンズは、物体側より像側へ順に、次のように構成されている。正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成されている。第４レンズ群Ｌ４は負の屈折力の第４ａレンズ部Ｌ４ａ、正の屈折力の第４ｂレンズ部Ｌ４ｂよりなっている。
【００４６】
実施例２では、第４ａレンズ部Ｌ４ａが防振群VCであり、これによって防振を行っている。広角端から望遠端へのズーミングに際し、各レンズ群は互いに異なった軌跡で物体側へ移動する。これによって、広角端におけるＦナンバーが大口径比となっても防振時の彎曲収差などの変動が少なくなるようにしている。その他の点は、実施例１と同じである。
【００４７】
［実施例３］
図５を参照して、本発明の実施例３のズームレンズについて説明する。実施例３のズームレンズのレンズ群の数、各レンズ群の屈折力、ズーミングに際しての各レンズ群の移動条件等のズームタイプは実施例１と同じである。防振群VC及びそのレンズ構成も実施例１と同じである。
【００４８】
［実施例４］
図７を用いて本発明の実施例４のズームレンズについて説明する。実施例４のズームレンズは、物体側より像側へ順に、次のように構成されている。正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５、正の屈折力の第６レンズ群Ｌ６から構成されている。
【００４９】
実施例４では、第４レンズ群Ｌ４が防振群VCであり、これによって防振を行っている。広角端から望遠端へのズーミングに際して、各レンズ群が互いに異なった軌跡で物体側へ移動する。これによって、広角端におけるＦナンバーが大口径比となっても防振時の彎曲収差などの変動が少なくなるようにしている。その他の点は、実施例２と同じである。
【００５０】
［実施例５］
図９を参照して、本発明の実施例５のズームレンズについて説明する。実施例５のズームレンズにおいて、レンズ群の数、各レンズ群の屈折力は実施例１と同じである。実施例５では、第４レンズ群Ｌ４が防振群VCであり、これにより防振を行っている。広角端から望遠端へのズーミングに際して、各レンズ群が互いに異なった軌跡で物体側へ移動する。これによって、広角端におけるＦナンバーが２程度と大口径比となっても防振時の彎曲収差などの変動が少なくなるようにしている。その他の点は、実施例１と同じである。
【００５１】
［実施例６］
以下、図１１を参照して、本発明の実施例６のズームレンズについて説明する。実施例６のズームレンズのズームタイプは実施例５と同じである。実施例６では、第４レンズ群Ｌ４が防振群VCであり、これによって防振を行っている。その他の点は、実施例１と同じである。
【００５２】
以上、本発明の好ましい実施形態について説明したが、本発明はこれらの実施形態に限定されず、その要旨の範囲内で種々の変形及び変更が可能である。例えば、ズーミングに際してのＦナンバーの変動を低減するために開口絞りの開口径の制御を行なっても良い。また受光面上に形成された光学像を電気信号に変換する撮像素子を備えた撮像装置と組み合わせた場合などには歪曲収差量によっては電気的な補正を加えても良い。
【００５３】
以上のように各実施例によれば、大口径でありながら、振動補償（防振）のための機構を具備し、装置全体の小型化が容易で、かつ振動補償時に良好な画像を得ることができる防振機能を有したズームレンズを得ることができる。
【００５４】
次に本発明のズームレンズを用いた実施例を図１４を用いて説明する。図１４において、１０は一眼レフカメラ本体、１１は本発明によるズームレンズを搭載した交換レンズである。１２は交換レンズ１１を通して得られる被写体像を記録する銀塩フィルムや被写体像を受光する固体撮像素子（光電変換素子）などの感光面である。１３は交換レンズ１１からの被写体像を観察するファインダー光学系、１４は交換レンズ１１からの被写体像を感光面１２とファインダー光学系１３に切り替えて伝送するための回動するクイックリターンミラーである。
【００５５】
ファインダーで被写体像を観察する場合は、クイックリターンミラー１４を介してピント板１５に結像した被写体像をペンタプリズム１６で正立像としたのち、接眼光学系１７で拡大して観察する。
【００５６】
撮影時にはクイックリターンミラー１４が矢印方向に回動して被写体像は感光面記録手段１２に形成される結像して記録される。このように本発明のズームレンズを一眼レフカメラ交換レンズ等の光学機器に適用することにより、高い光学性能を有した光学機器が実現できる。尚、本発明はクイックリターンミラーのないＳＬＲ（Single lens Reflex）カメラにも同様に適用することができる。また本発明のズームレンズはビデオカメラにも同様に適用することができる。
【００５７】
以下に、実施例１乃至６に各々対応する数値実施例１乃至６を示す。各数値実施例において、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれ第ｉ番目のレンズの材料のｄ線を基準とした屈折率、アッベ数を示す。ＢＦはバックフォーカスである。非球面データには、非球面を次式で表した場合の非球面係数を示す。
【００５８】
【数１】
2015049428.tif 000003
【００５９】
但し、
x：光軸方向の基準面からの変位量
h：光軸に対して垂直な方向の高さ
R：ベースとなる２次曲面の半径
k：円錐定数
An：ｎ次の非球面係数
なお、「Ｅ−Ｚ」の表示は「10-Z」を意味する。又前述の各条件式と数値実施例における諸数値との関係を表１に示す。 
【００６０】
（数値実施例１）
単位 mm
面データ
面番号       r        d      nd         νd       有効径
1         83.630    2.00   1.94595    18.0       50.55
2         56.329    4.84   1.69680    55.5       46.69
3        118.394    0.15                         44.31
4         37.508    5.23   1.69680    55.5       38.87
5        135.720  (可変)                         37.90
6        111.098    1.20   1.88300    40.8       29.97
7         13.991    7.31                         21.74
8        -34.445    0.90   1.80400    46.6       21.43
9         29.297    0.12                         21.12
10         25.901    3.36   2.00178    19.3       21.37
11*       924.715  (可変)                         21.16
12*        13.866    6.19   1.76802    49.2       21.32
13        116.210    0.12                         19.99
14*        16.899    0.52   1.84666    23.8       17.93
15         10.637    5.09                         16.06
16         20.341    3.92   1.59282    68.6       15.73
17        -32.483    0.15                         15.18
18        -30.949    0.70   1.92286    20.9       15.06
19        -86.436    1.34                         14.78
20(絞り)    ∞     (可変)                         13.76
21        795.325    0.70   1.69680    55.5       16.68
22         17.430    2.29   1.68893    31.1       16.94
23         26.588  (可変)                         17.12
24*        19.148    4.35   1.48749    70.2       21.03
25        187.841  (可変)                         21.16
像面        ∞   
【００６１】
非球面データ
第11面
K = 5.69819e+003  A 4= 1.68666e-006  A 6=-9.06463e-009  A 8= 2.71886e-010  A10=-1.17899e-012  
第12面
K =-5.08067e-001  A 4= 1.27424e-005  A 6= 5.68407e-009  A 8= 3.97908e-010  
第14面
K =-5.12841e-001  A 4=-1.45830e-005  A 6=-2.79382e-008  A 8=-2.06681e-009  A10= 6.24676e-012  
第24面
K = 0.00000e+000  A 4=-4.03606e-005  A 6= 8.14320e-008  A 8=-7.37539e-010  A10= 2.06121e-012  
各種データ
ズーム比      4.71 
広角     中間     望遠
焦点距離      16.09    41.83    75.78  
Fナンバー      2.07     5.15     6.00  
半画角（度）  36.26    18.01    10.17  
像高          11.80    13.60    13.60  
レンズ全長   100.68   110.04   120.89  
BF            15.19    27.94    26.84  
d 5            0.58    12.48    22.70  
d11           24.56     7.30     1.39  
d20            2.63     7.73    17.32  
d23            7.27     4.13     2.17  
d25           15.19    27.94    26.84  
入射瞳位置    29.21    58.29   103.55  
射出瞳位置   -17.75   -18.76   -25.40  
前側主点位置  37.44    62.65    69.40  
後側主点位置  -0.90   -13.89   -48.94  
ズームレンズ群データ
群  始面    焦点距離  レンズ構成長  前側主点位置  後側主点位置
Ｌ1    1      68.67        12.22         0.82         -6.24
Ｌ2    6     -13.81        12.88         1.91         -7.91
Ｌ3   12      21.56        18.03         2.70        -12.31
Ｌ4   21     -39.27         2.99         1.81          0.04
Ｌ5   24      43.37         4.35        -0.33         -3.23
単レンズデータ
レンズ  始面  焦点距離
1       1   -189.14
2       2    149.42
3       4     72.80
4       6    -18.23
5       8    -19.57
6      10     26.55
7      12     19.98
8      14    -35.25
9      16     21.70
10      18    -52.56
11      21    -25.58
12      22     66.66
13      24     43.37
【００６２】
（数値実施例２）
単位 mm
面データ
面番号       r        d      nd         νd       有効径
1         75.067    2.00   1.94595    18.0       51.67
2         50.901    5.81   1.69680    55.5       48.32
3        157.034    0.15                         46.93
4         41.593    6.39   1.69680    55.5       41.71
5        150.530  (可変)                         40.01
6         68.409    1.16   1.88300    40.8       26.52
7         14.107    8.13                         20.67
8        -36.019    1.16   1.88300    40.8       18.82
9         33.101    0.14                         18.39
10         26.656    4.07   1.94595    18.0       18.54
11        -80.146    2.90                         18.15
12*       -20.825    0.93   1.85400    40.4       17.13
13        -59.158  (可変)                         17.37
14*        21.066    3.89   1.69680    55.5       22.84
15         98.662    0.12                         22.71
16         19.395    7.16   1.59282    68.6       22.75
17        -49.494    0.12                         21.60
18         73.194    0.70   1.84666    23.8       19.08
19*        16.605    0.81                         16.88
20         17.270    3.92   1.48749    70.2       16.86
21       -575.834    1.16                         16.19
22(絞り)    ∞     (可変)                         15.42
23        109.767    0.70   1.69680    55.5       14.53
24*        22.129    2.32                         13.87
25         23.412    2.16   1.84666    23.8       13.30
26         28.821  (可変)                         12.53
27*        19.718    4.51   1.48749    70.2       17.21
28         33.352  (可変)                         17.66
像面        ∞   
【００６３】
非球面データ
第12面
K = 8.45178e-001  A 4= 7.80197e-006  A 6= 6.98896e-008  A 8=-7.50139e-010  A10= 6.49626e-012  
第14面
K =-1.01557e-001  A 4=-3.07775e-006  A 6=-6.51269e-008  A 8=-2.21811e-010  
第19面
K = 6.64216e-001  A 4= 5.12752e-005  A 6= 2.31786e-007  A 8=-9.64526e-010  A10= 1.35649e-011  
第24面
K = 0.00000e+000  A 4=-3.44118e-006  A 6= 3.91332e-008  A 8=-2.45333e-010  
第27面
K = 0.00000e+000  A 4=-2.39365e-005  A 6=-1.71751e-008  A 8= 3.98619e-010  A10=-2.30944e-012  
各種データ
ズーム比      3.97 
広角     中間     望遠
焦点距離      20.92    37.14    82.98  
Fナンバー      2.10     5.00     6.00  
半画角（度）  29.64    20.11     9.31  
像高          11.90    13.60    13.60  
レンズ全長   103.53   111.86   129.55  
BF            13.91    22.98    34.39  
d 5            3.61    10.90    22.22  
d13           13.43     6.82     1.37  
d22            1.16     5.58     9.30  
d26           11.01     5.17     1.87  
d28           13.91    22.98    34.39  
入射瞳位置    38.77    60.33   121.31  
射出瞳位置   -20.39   -17.69   -17.06  
前側主点位置  46.93    63.56    70.46  
後側主点位置  -7.01   -14.16   -48.59  
ズームレンズ群データ
群  始面    焦点距離  レンズ構成長  前側主点位置  後側主点位置
L 1    1      64.57        14.35         0.95         -7.35
L 2    6     -10.33        18.49         4.32         -8.44
L 3   14      18.04        17.88         1.62        -10.80
L 4   23     -57.33         5.18         1.46         -2.31
L 5   27      89.27         4.51        -3.96         -6.69
単レンズデータ
レンズ  始面  焦点距離
1       1   -174.15
2       2    105.71
3       4     80.54
4       6    -20.33
5       8    -19.38
6      10     21.55
7      12    -38.06
8      14     37.66
9      16     24.45
10      18    -25.51
11      20     34.47
12      23    -39.91
13      25    124.58
14      27     89.27
【００６４】
（数値実施例３）
単位 mm
面データ
面番号       r        d      nd         νd       有効径
1         65.228    2.00   1.94595    18.0       50.48
2         47.456    5.17   1.69680    55.5       46.53
3         88.160    0.15                         44.02
4         41.871    4.94   1.69680    55.5       39.52
5        142.283  (可変)                         38.61
6        142.378    1.20   1.88300    40.8       26.67
7         13.179    6.05                         20.00
8        -47.464    0.90   1.88300    40.8       19.75
9         35.446    0.87                         19.41
10         28.835    2.90   1.94595    18.0       19.89
11       1740.640  (可変)                         19.80
12*        15.453    5.04   1.77250    49.6       21.56
13         72.432    2.84                         20.67
14        123.084    2.65   1.59282    68.6       18.43
15        -45.869    0.12                         17.62
16        -69.440    0.70   1.84666    23.8       17.01
17*        25.116    0.07                         15.57
18         17.263    3.62   1.59282    68.6       15.59
19        -87.337    1.16                         15.15
20(絞り)    ∞     (可変)                         14.23
21        349.729    0.70   1.69350    53.2       15.09
22         17.400    2.27   1.71736    29.5       15.39
23         25.276  (可変)                         15.62
24*        19.082    4.93   1.48749    70.2       21.23
25         78.743  (可変)                         21.32
像面        ∞   
【００６５】
非球面データ
第12面
K =-6.46132e-001  A 4= 2.37777e-005  A 6= 6.99525e-008  A 8= 1.74530e-010  
第17面
K = 1.62306e+000  A 4= 7.24456e-005  A 6= 5.40826e-007  A 8=-1.74497e-009  A10= 5.28140e-011  
第24面
K = 0.00000e+000  A 4=-3.46423e-005  A 6= 3.25939e-008  A 8=-1.62350e-010  A10= 5.24958e-013  
各種データ
ズーム比      4.71 
広角     中間     望遠
焦点距離      16.61    41.76    78.21  
Fナンバー      2.07     4.64     6.00  
半画角（度）  35.39    18.04     9.86  
像高          11.80    13.60    13.60  
レンズ全長    97.81   108.49   120.70  
BF            14.83    27.15    26.20  
d 5            2.15    14.73    26.99  
d11           22.55     7.13     1.16  
d20            2.62     7.07    16.13  
d23            7.41     4.14     1.96  
d25           14.83    27.15    26.20  
入射瞳位置    29.86    59.24   111.51  
射出瞳位置   -17.17   -17.16   -22.14  
前側主点位置  37.84    61.64    63.17  
後側主点位置  -1.78   -14.61   -52.02  
ズームレンズ群データ
群  始面    焦点距離  レンズ構成長  前側主点位置  後側主点位置
L 1    1      75.45        12.25        -0.12         -7.17
L 2    6     -13.84        11.91         1.10         -8.51
L 3   12      20.41        16.19         1.62        -10.55
L 4   21     -40.19         2.97         1.96          0.21
L 5   24      50.30         4.93        -1.03         -4.26
単レンズデータ
レンズ  始面  焦点距離
1       1   -194.76
2       2    140.20
3       4     83.46
4       6    -16.52
5       8    -22.86
6      10     30.97
7      12     24.49
8      14     56.70
9      16    -21.71
10      18     24.63
11      21    -26.43
12      22     69.47
13      24     50.30
【００６６】
（数値実施例４）
単位 mm
面データ
面番号       r        d      nd         νd       有効径
1        119.112    2.00   1.94595    18.0       46.08
2         63.888    6.06   1.69680    55.5       44.47
3       1050.812    0.15                         43.79
4         36.880    5.34   1.69680    55.5       40.87
5        143.627  (可変)                         40.40
6         72.821    1.16   1.88300    40.8       24.35
7         12.770    5.70                         18.60
8        -28.799    1.16   1.88300    40.8       17.50
9         63.191    0.13                         18.21
10         29.919    3.12   1.94595    18.0       18.31
11        -54.899    2.75                         18.08
12*       -20.920    0.93   1.85400    40.4       16.45
13        -90.252  (可変)                         16.46
14*        21.679    3.74   1.69680    55.5       16.42
15         90.714    0.12                         15.80
16         19.575    7.47   1.59282    68.6       15.40
17        -50.307    0.12                         13.26
18         62.201    0.70   1.84666    23.8       12.67
19*        15.943    0.12                         11.94
20         15.788    4.18   1.48749    70.2       11.94
21       -101.480    1.16                         11.09
22(絞り)    ∞     (可変)                         10.43
23        272.154    0.70   1.69680    55.5       11.51
24         17.400    2.09   1.84666    23.8       11.79
25         21.457  (可変)                         11.96
26        -22.110    0.75   1.58913    61.1       13.96
27        -30.237  (可変)                         14.71
28*        21.727    4.89   1.48749    70.2       17.78
29       2085.623  (可変)                         18.65
像面        ∞   
【００６７】
非球面データ
第12面
K = 8.58338e-001  A 4= 5.57146e-006  A 6= 6.59697e-008  A 8=-9.18752e-010  A10= 8.56606e-012  
第14面
K =-1.76906e-001  A 4=-3.03720e-006  A 6=-6.37897e-008  A 8=-1.81295e-010  
第19面
K = 6.24337e-001  A 4= 4.57564e-005  A 6= 2.09637e-007  A 8=-1.19599e-009  A10= 1.23599e-011  
第28面
K = 0.00000e+000  A 4=-2.30829e-005  A 6= 1.71728e-008  A 8= 9.53180e-011  A10=-2.74176e-013  
各種データ
ズーム比      4.71 
広角     中間     望遠
焦点距離      18.04    41.76    84.96  
Fナンバー      2.94     5.00     6.00  
半画角（度）  33.19    18.04     9.09  
像高          11.80    13.60    13.60  
レンズ全長    96.81   108.02   120.68  
BF            11.81    22.76    25.78  
d 5            0.58    10.81    20.53  
d13           16.27     6.29     1.28  
d22            2.62     8.56    14.47  
d25           10.43     4.39     3.52  
d27            0.58     0.69     0.58  
d29           11.81    22.76    25.78  
入射瞳位置    28.15    55.67   107.37  
射出瞳位置   -23.83   -20.63   -24.33  
前側主点位置  37.06    57.24    48.30  
後側主点位置  -6.23   -18.99   -59.18  
ズームレンズ群データ
群  始面    焦点距離  レンズ構成長  前側主点位置  後側主点位置
L 1    1      57.22        13.55         2.62         -5.27
L 2    6     -10.33        14.95         3.25         -7.11
L 3   14      17.23        17.59         2.05        -10.07
L 4   23     -36.03         2.78         2.06          0.49
L 5   26    -144.60         0.75        -1.34         -1.83
L 6   28      45.00         4.89        -0.03         -3.32
単レンズデータ
レンズ  始面  焦点距離
1       1   -148.28
2       2     97.38
3       4     69.78
4       6    -17.70
5       8    -22.27
6      10     20.84
7      12    -32.09
8      14     39.99
9      16     24.76
10      18    -25.50
11      20     28.36
12      23    -26.71
13      24     87.97
14      26   -144.60
15      28     45.00
【００６８】
（数値実施例５）
単位 mm
面データ
面番号       r        d      nd         νd       有効径
1        121.583    2.00   1.95906    17.5       51.76
2         84.348    5.23   1.65160    58.5       50.79
3        422.840    0.15                         50.27
4         71.631    5.23   1.69680    55.5       49.01
5        265.791  (可変)                         48.02
6         70.094    1.16   1.88300    40.8       22.67
7         15.605    8.13                         19.12
8        -47.418    1.16   1.88300    40.8       16.64
9         27.608    0.14                         16.23
10         25.232    4.07   1.94595    18.0       16.32
11        -93.240    2.90                         15.89
12*       -20.316    0.93   1.85400    40.4       14.92
13        -56.484  (可変)                         15.11
14*        20.935    3.89   1.69680    55.5       20.00
15         90.752    0.12                         19.80
16         18.904    7.16   1.59282    68.6       19.74
17*       -49.660    0.12                         18.14
18        146.350    0.70   1.84666    23.8       16.86
19*        16.605    0.12                         15.31
20         16.637    3.92   1.48749    70.2       15.30
21        227.653    1.16                         14.63
22(絞り)    ∞     (可変)                         14.18
23         90.936    0.70   1.69680    55.5       13.56
24         16.850    2.16   1.84666    23.8       13.01
25         25.949  (可変)                         12.44
26*        19.340    4.51   1.48749    70.2       15.05
27         40.866  (可変)                         15.50
像面        ∞   
【００６９】
非球面データ
第12面
K = 8.45178e-001  A 4= 1.06946e-005  A 6= 1.08298e-007  A 8=-1.46754e-009  A10= 1.06096e-011  
第14面
K =-1.01557e-001  A 4=-9.86956e-007  A 6=-5.37777e-008  A 8=-1.81132e-010  
第17面
K = 0.00000e+000  A 4= 1.64322e-007  A 6= 2.44785e-009  A 8= 3.71577e-011  
第19面
K = 6.64216e-001  A 4= 5.12752e-005  A 6= 2.31786e-007  A 8=-9.64526e-010  A10= 1.35649e-011  
第26面
K = 0.00000e+000  A 4=-2.38114e-005  A 6=-1.05031e-007  A 8= 2.07890e-009  A10=-1.26701e-011  
各種データ
ズーム比      6.67 
広角     中間     望遠
焦点距離      20.92    40.04   139.44  
Fナンバー      2.70     5.00     6.00  
半画角（度）  29.43    18.76     5.57  
像高          11.80    13.60    13.60  
レンズ全長   104.42   128.13   178.50  
BF            22.11    34.62    57.58  
d 5            0.35    17.40    50.04  
d13           12.95     7.23     1.22  
d22            1.16     5.68    11.78  
d25           12.20     7.56     2.24  
d27           22.11    34.62    57.58  
入射瞳位置    26.49    59.39   218.03  
射出瞳位置   -20.14   -18.83   -17.51  
前側主点位置  37.05    69.44    98.53  
後側主点位置   1.19    -5.41   -81.86  
ズームレンズ群データ
群  始面    焦点距離  レンズ構成長  前側主点位置  後側主点位置
L 1    1     101.90        12.61         1.31         -6.10
L 2    6     -11.28        18.49         4.69         -8.10
L 3   14      19.28        17.18         0.13        -10.86
L 4   23     -65.07         2.86         3.11          1.46
L 5   26      70.48         4.51        -2.55         -5.39
単レンズデータ
レンズ  始面  焦点距離
1       1   -294.93
2       2    160.73
3       4    139.19
4       6    -22.96
5       8    -19.62
6      10     21.35
7      12    -37.60
8      14     38.18
9      16     24.03
10      18    -22.18
11      20     36.60
12      23    -29.80
13      24     51.20
14      26     70.48
【００７０】
（数値実施例６）
単位 mm
面データ
面番号       r        d      nd         νd       有効径
1         82.061    2.00   1.94595    18.0       54.41
2         64.952    6.39   1.69680    55.5       52.40
3        197.091    0.17                         50.70
4         52.740    6.39   1.69680    55.5       46.69
5        199.204  (可変)                         44.50
6         69.349    1.16   1.88300    40.8       27.15
7         14.169    8.13                         20.78
8        -31.851    1.16   1.88300    40.8       18.60
9         42.979    0.14                         18.07
10         28.750    4.07   1.94595    18.0       18.14
11        -79.751    2.90                         17.56
12*       -20.862    0.93   1.85400    40.4       16.18
13        -78.899  (可変)                         16.25
14*        20.839    3.89   1.69680    55.5       18.11
15        110.853    0.12                         17.92
16         19.441    7.16   1.59282    68.6       17.98
17*       -46.577    0.12                         16.82
18        140.401    0.70   1.84666    23.8       16.03
19*        16.605    0.93                         14.95
20         16.948    3.92   1.48749    70.2       15.18
21         82.499    1.16                         14.90
22(絞り)    ∞     (可変)                         14.83
23         60.010    0.70   1.69680    55.5       14.63
24         19.417    2.16   1.84666    23.8       14.71
25         30.372  (可変)                         14.67
26*        19.485    4.51   1.48749    70.2       16.45
27         47.581  (可変)                         16.83
像面        ∞   
【００７１】
非球面データ
第12面
K = 8.45178e-001  A 4= 5.61235e-006  A 6= 7.38976e-008  A 8=-1.36678e-009  A10= 1.21717e-011  
第14面
K =-1.01557e-001  A 4=-2.30964e-006  A 6=-6.73536e-008  A 8=-1.92801e-010  
第17面
K = 0.00000e+000  A 4=-2.07297e-006  A 6= 1.33384e-008  
第19面
K = 6.64216e-001  A 4= 5.12752e-005  A 6= 2.31786e-007  A 8=-9.64526e-010  A10= 1.35649e-011  
第26面
K = 0.00000e+000  A 4=-2.49565e-005  A 6=-1.08741e-008  A 8= 1.75267e-010  A10=-5.90330e-013  
各種データ
ズーム比      4.85 
広角     中間     望遠
焦点距離      17.91    38.92    86.94  
Fナンバー      2.50     5.00     6.00  
半画角（度）  33.37    19.26     8.89  
像高          11.80    13.60    13.60  
レンズ全長   103.92   123.56   165.08  
BF            17.32    30.81    76.05  
d 5            1.19    13.28    15.33  
d13           13.97     6.61     1.22  
d22            1.16    10.67    11.62  
d25           11.47     3.39     2.05  
d27           17.32    30.81    76.05  
入射瞳位置    31.92    63.56    70.34  
射出瞳位置   -19.71   -19.67   -18.79  
前側主点位置  41.17    72.47    77.58  
後側主点位置  -0.59    -8.11   -10.89  
ズームレンズ群データ
群  始面    焦点距離  レンズ構成長  前側主点位置  後側主点位置
L1    1      72.05        14.95         1.07         -7.62
L2    6      -9.77        18.49         4.58         -7.95
L3   14      19.85        17.99        -0.07        -11.81
L4   23    -127.84         2.86         5.21          3.49
L5   26      64.31         4.51        -2.00         -4.88
単レンズデータ
レンズ  始面  焦点距離
1       1   -349.17
2       2    136.33
3       4    101.13
4       6    -20.37
5       8    -20.57
6      10     22.75
7      12    -33.46
8      14     36.19
9      16     24.11
10      18    -22.30
11      20     42.91
12      23    -41.49
13      24     58.32
14      26     64.31
【００７２】
【表１】
2015049428.tif 000004
【符号の説明】
【００７３】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
VC    防振群
【図１】
2015049428.tif 000005
【図２】
2015049428.tif 000006
【図３】
2015049428.tif 000007
【図４】
2015049428.tif 000008
【図５】
2015049428.tif 000009
【図６】
2015049428.tif 000010
【図７】
2015049428.tif 000011
【図８】
2015049428.tif 000012
【図９】
2015049428.tif 000013
【図１０】
2015049428.tif 000014
【図１１】
2015049428.tif 000015
【図１２】
2015049428.tif 000016
【図１３】
2015049428.tif 000017
【図１４】
2015049428.tif 000018